(57)【要約】【課題】必要且つ十分な緩衝性を備え、軽量で出し入れ操作が簡単な釣竿袋の提供。【解決手段】この釣竿袋１０は、並継ぎやインロー継ぎ等のいわゆる振出式でない釣竿を収容するものである。釣竿袋１０は、基布１１を備える。基布１１の内側にメッシュ生地１２が縫い合わされている。基布１１とメッシュ生地１２との間に収容空間２７、２８が形成されている。基布１１と一体的にフラップ生地１３が延設されている。フラップ生地１３は基布１１側に折り返される。メッシュ生地１２を覆うように基布１１の内側に補助布１７が配置されている。面ファスナー１４〜１６が内側に配置されている。【選択図】図２
2014036619.tif 000002
【特許請求の範囲】
【請求項１】
細長帯状に形成され、長手方向の一端縁及び他端縁並びに長手方向に沿う一対の側縁を有する基布と、
当該基布に対して対向配置され、上記他端縁及び一対の側縁に沿って縫い付けられ且つ上記一端縁と協働して開口を形成するメッシュ生地と、
上記基布の一端縁に連続し、折り返されることにより上記開口を閉じるフラップ生地と、
上記一対の側縁に均等に配置され、上記基布が中央部で長手方向に沿って折りたたまれることによって上記一対の側縁同士を接着する複数の面ファスナーとを備えている釣竿袋。
【請求項２】
上記基布の他端部に上記メッシュ生地の一部を覆うように配置され且つ上記基布の側縁及び他端縁に縫い付けられた補助布がさらに設けられている請求項１に記載の釣竿袋。
【請求項３】
上記フラップ生地は、上記基布と一体的に形成されている請求項１又は２に記載の釣竿袋。
【請求項４】
上記メッシュ生地の中央部が上記長手方向に沿って上記基布と縫い合わされている請求項１から３のいずれかに記載の釣竿袋。
【請求項５】
上記面ファスナーは３箇所に配置されており、そのうちの二つは上記側縁の一端及び他端に設けられている請求項１から４のいずれかに記載の釣竿袋。
【請求項６】
上記側縁の一端に配置された面ファスナーは、上記フラップ生地が折り返されて上記開口を閉じたときに当該閉じ状態を保持する面ファスナーを兼ねている請求項５に記載の釣竿袋。
【請求項７】
上記フラップ生地の上記長手方向寸法は、１００ｍｍ〜１５０ｍｍに設定されている請求項１から６のいずれかに記載の釣竿袋。
【発明の詳細な説明】
【技術分野】
【０００１】
この発明は、釣竿を収納する釣竿袋の構造に関するものである。
【背景技術】
【０００２】
並継ぎやインロー継ぎ等の釣竿、換言すればいわゆる振出式でない釣竿は、未使用時に各節が束ねられ、これらが損傷を受けないように釣竿袋に収納される。従来から、簡易な構造で且つ軽量な釣竿袋、緩衝性に優れた釣竿袋あるいは持ち運びに便利な釣竿袋等、種々の釣竿袋が提供されている（たとえば、特許文献１〜特許文献４参照）。
【先行技術文献】
【特許文献】
【０００３】
【特許文献１】特開２０１２−１３０３０８号公報
【特許文献２】特開２００５−２１００７号公報
【特許文献３】特開２００２−１７１８８８号公報
【特許文献４】特開平１１−２８９９４６号公報
【発明の概要】
【発明が解決しようとする課題】
【０００４】
ところで、簡易且つ軽量であることが追求された釣竿袋は、緩衝性能その他釣竿を保護する能力に欠けるし、他方、緩衝性が追求された釣竿袋は重量増加、コストアップ、操作が煩雑等の問題を抱えていた。
【０００５】
本発明はかかる背景のもとになされたものであって、その目的は、必要且つ十分な緩衝性を備え、軽量で出し入れ操作が簡単な釣竿袋を提供することである。
【課題を解決するための手段】
【０００６】
(1) 本発明に係る釣竿袋は、細長帯状に形成され、長手方向の一端縁及び他端縁並びに長手方向に沿う一対の側縁を有する基布と、当該基布に対して対向配置され、上記他端縁及び一対の側縁に沿って縫い付けられ且つ上記一端縁と協働して開口を形成するメッシュ生地と、上記基布の一端縁に連続し、折り返されることにより上記開口を閉じるフラップ生地と、上記一対の側縁に均等に配置され、上記基布が中央部で長手方向に沿って折りたたまれることによって上記一対の側縁同士を接着する複数の面ファスナーとを備えている。
【０００７】
この構成によれば、基布とメッシュ生地との間に釣竿を構成する各節が収容される収容空間が形成される。各節は、基布の一端縁側に形成された開口から上記収容空間に挿入される。各節が上記収容空間に収容された状態で、フラップ生地が折り返され、上記開口が閉塞される。さらに、上記基布が上記メッシュ生地と共に長手方向を基準に折り返される。つまり、基布の側縁同士が合致するように折り返され、面ファスナーにより当該折り畳み状態が維持される。これにより、各節は基布及びメッシュ生地により包み込まれた状態となる。これら基布及びメッシュ生地は、各節を衝撃から必要且つ十分な範囲で保護することができる。基布は典型的にはナイロンからなり、メッシュ生地は典型的にはポリエチレンから構成され得る。しかも、上記フラップ生地が折り返されることにより、当該折り返された部分の緩衝性は一層向上する。したがって、上記収容空間に収容された各節の端部（たとえば穂先節の先端部）がより一層保護される。
【０００８】
(2) 上記基布の他端部に上記メッシュ生地の一部を覆うように配置され且つ上記基布の側縁及び他端縁に縫い付けられた補助布がさらに設けられていてもよい。
【０００９】
この構成によれば、基布の他端部にポケットが形成される。このポケットに節の端部が挿入され得る。たとえば、釣竿が第１番節、第２番節及びバットから構成される場合、第１番節及び第２番節が上記収容空間に収容されると共にバットが上記メッシュ生地の上に配置され、バットの端部が上記ポケットに挿入され得る。また、上記補助布が設けられることにより、上記基布の他端縁側の緩衝性が一層向上する。
【００１０】
(3) 上記フラップ生地は、上記基布と一体的に形成されているのが好ましい。
【００１１】
これにより、釣竿袋の製造工程が簡素化され、製造コストが抑えられる。
【００１２】
(4) 上記メッシュ生地の中央部が上記長手方向に沿って上記基布と縫い合わされているのが好ましい。
【００１３】
これにより、上記収容空間は２つに分割される。したがって、各節は分割された収容空間に分けて収容されるから、釣竿袋の緩衝性は一層向上する。
【００１４】
(5) 上記面ファスナーは３箇所に配置されており、そのうちの二つは上記側縁の一端及び他端に設けられているのが好ましい。
【００１５】
この構成では、上記基布の折り畳み状態が効果的に維持される。
【００１６】
(6) 上記側縁の一端に配置された面ファスナーは、上記フラップ生地が折り返されて上記開口を閉じたときに当該閉じ状態を保持する面ファスナーを兼ねているのが好ましい。
【００１７】
この構成では、フラップ生地が折り返された状態を維持するために、面ファスナーを別途設ける必要がない。
【００１８】
(7) 上記フラップ生地の上記長手方向寸法は、１００ｍｍ〜１５０ｍｍに設定されているのが好ましい。
【００１９】
フラップ生地が上記寸法に設定されることにより、必要且つ十分な緩衝性が発揮される。
【発明の効果】
【００２０】
この発明によれば、上記材料にて釣竿袋が構成されるから、軽量で出し入れ操作が簡単な釣竿袋が実現する。また、前述のように釣竿を構成する各節は釣竿袋によって包み込まれるように保持されるから、必要且つ十分な緩衝性が発揮される。
【図面の簡単な説明】
【００２１】
【図１】図１は、本発明の一実施形態に係る釣竿袋１０の外観斜視図である。
【図２】図２は、釣竿袋１０が開かれた状態を示す斜視図である。
【図３】図３は、釣竿袋１０の上端部の要部拡大斜視図である。
【図４】図４は、図２におけるIV−IV拡大断面図である。
【図５】図５は、図２におけるＶ−Ｖ拡大断面図である。
【発明を実施するための形態】
【００２２】
以下、本発明の好ましい実施形態が、適宜図面が参照されながら説明される。なお、本実施の形態は、本発明に係る釣竿袋の一態様にすぎず、本発明の要旨を変更しない範囲で実施態様が変更されてもよいことは言うまでもない。
【００２３】
図１は、本発明の一実施形態に係る釣竿袋１０の外観斜視図である。図２は、この釣竿袋１０が開かれた状態を示す斜視図である。
【００２４】
この釣竿袋１０は、複数の節からなり、並継ぎやインロー継ぎ等のいわゆる振出式でない釣竿を収容するものである。
【００２５】
図１及び図２が示すように、釣竿袋１０は、表面を構成する基布１１と、基布１１の内側に配置されたメッシュ生地１２（図２参照）と、基布１１に連続するフラップ生地１３と、メッシュ生地１２を覆うように基布１１の内側に配置された補助布１７と、面ファスナー１４〜１６とを備えている。
【００２６】
基布１１は、ナイロンからなる。基布１１の肉厚は、０．２ｍｍ〜１．０ｍｍに設定され得る。ただし、基布１１を構成する材料は、ナイロンのほかにポリウレタン、綿、ウレタン等であってもよい。また、クッション材としてウレタンやスポンジが付加されてもよい。その場合、緩衝性が向上され、釣竿が有効に保護される。クッション材として採用されるウレタンやスポンジの肉厚は、３ｍｍ〜５ｍｍが好ましい。基布１１は細長矩形に形成され、その長手方向寸法は、釣竿袋１０の長手方向寸法Ａが釣竿を構成する節を収容するために十分な長さとなるように設定される。また、基布１１の横方向寸法Ｂは、上記節が包み込まれるために十分な長さとなるように設置される。
【００２７】
図３は、釣竿袋１０の上端部の要部拡大斜視図である。
【００２８】
同図が示すように、基布１１の上端縁１８（特許請求の範囲に記載された「一端縁」に相当）に連続して上記フラップ生地１３が接続されている。本実施形態では、フラップ生地１３は、基布１１と一体的に形成されている。もっとも、フラップ生地１３が基布１１と別の生地から構成され、両者が縫い合わされていてもよい。本実施形態では、フラップ生地１３の長さＤは、１２０ｍｍに設定されている。ただし、この長さＤは、１００ｍｍ〜１５０ｍｍに設定され得る。
【００２９】
このフラップ生地１３は、図２が示すように内側へ折り返すことが可能である。また、図３が示すように、フラップ生地１３の上端部に面ファスナー２５が設けられている。フラップ生地１３が折り返されることによる作用効果、及び上記面ファスナー２５が設けられることによる作用効果は後述される。
【００３０】
図２及び図３が示すように、メッシュ生地１２は、ポリエチレンからなる。メッシュ生地１２には矩形の孔が設けられている。この孔は、丸形よりも矩形が好ましい。この孔の内径は、１．０ｍｍ〜５．０ｍｍに設定され得るが、３．０ｍｍが好ましい。メッシュ生地１２も細長矩形に形成されており、基布１１の内側に当該基布１１に対向して配置されている。このメッシュ生地１２は、基布１１に縫い付けられている。具体的には、メッシュ生地１２は、基布１１の下端縁１９（特許請求の範囲に記載された「他端縁」に相当）及び側縁２０、２１に沿って縫い付けられている。本実施形態では、図３が示すように、メッシュ生地１２は、中央を長手方向に沿って基布１１に縫い付けられている。
【００３１】
図４は、図２におけるIV−IV拡大断面図である。
【００３２】
メッシュ生地１２が基布１１に縫い付けられることにより、メッシュ生地１２と基布１１との間に収容空間が形成される。本実施形態では、メッシュ生地１２が中央を長手方向に沿って基布１１に縫い付けられているから、２つの収容空間２７、２８が形成されている。また、図３が示すように、メッシュ生地１２の上端縁は基布１１に縫い付けられておらず、基布１１の上端縁１８と協働して開口２２、２３が形成されている。上記フラップ生地１３が折り返されることにより、開口２２、２３が閉じられるようになっている（図２参照）。
【００３３】
補助布１７は、ナイロン、ポリエチレン、綿その他の材料から構成される。補助布１７は矩形（本実施形態では略正方形）に形成され、メッシュ生地１２を覆うように配置されている。図２が示すように、補助布１７は、メッシュ生地１２と共に基布１１の内側に縫い付けられている。具体的には、補助布１７は、基布１１の側縁２０、２１の他端部及び下端縁１９に沿って縫い付けられており、補助布１７の上端縁は縫い付けられていない。
【００３４】
図５は、図２におけるＶ−Ｖ拡大断面図である。
【００３５】
補助布１７が縫い付けられることにより、補助布１７とメッシュ生地１２との間にポケット２４が形成されている。ポケット２４の深さＣ（図２参照）は、本実施形態では１４０ｍｍに設定されている。もっとも、この深さＣは、１００ｍｍ〜２００ｍｍの範囲で適宜変更され得る。
【００３６】
本実施形態では、基布１１及びフラップ生地１３、メッシュ生地１２並びに補助布１７の周囲を取り囲むように縁取りテープ２６が設けられている。この縁取りテープ２６が設けられることにより、基布１１等の外縁部が補強され、見栄えが良くなる。なお、縁取りテープ２６は省略されてもよい。
【００３７】
面ファスナー１５は、基布１１の中央に配置されている。本実施形態では、メッシュ生地１２に重ねて配置されている。また、面ファスナー１４は、図３が示すように、基布１１の上端縁１８の近傍（特許請求の範囲に記載された「側縁の一端」に相当）に配置されている。面ファスナー１４もメッシュ生地１２に重ねて配置されている。面ファスナー１６は、基布１１の下端縁１９の近傍（特許請求の範囲に記載された「側縁の他端」に相当）に配置されており、補助布１７に重ねて配置されている。
【００３８】
図３が示すように、フラップ生地１３の上端部にも面ファスナー２５が設けられている。フラップ生地１３が折り返された状態で、面ファスナー２５は面ファスナー１４と接着することができる。これにより、フラップ生地１３は、メッシュ生地１２に重ね合わされて保持され、開口２２、２３が閉じられる。つまり、面ファスナー１４は、フラップ生地１３が折り返された状態を維持する面ファスナーとしても機能する。そのため、本実施形態では、面ファスナー１４の長手方向寸法は、面ファスナー１５、１６の長手方向寸法よりも大きくなるように設定されている。そして、基布１１が長手方向に沿って折り返されると、つまり、図１が示す状態となったときは、面ファスナー１４〜１６が接着する。
【００３９】
次に、釣竿袋１０への釣竿の収納作業について説明される。
【００４０】
まず、基布１１が図２の状態に開かれ、フラップ生地１３が図３の状態に開かれる。釣竿を構成する各節は、開口２２、２３から収容空間２７、２８に収容される。たとえば、第１番節が収容空間２７に収容され、第２番節が収容空間２８に収容される。そして、バットがポケット２４（図２参照）に挿入され、メッシュ生地１２上に配置される。この状態で、フラップ生地１３が折り返され、開口２２、２３が閉塞される。さらに、基布１１がメッシュ生地１２と共に折り畳まれ、図１の状態となる。面ファスナー１４〜１６が設けられているので、当該折り畳み状態が維持される。
【００４１】
これにより、各節は基布１１及びメッシュ生地１２により包み込まれた状態となる。基布１１はナイロンからなり、メッシュ生地１２はポリエチレンからなるので、これら基布１１及びメッシュ生地１２は、各節を衝撃から必要且つ十分な範囲で保護することができる。しかも、フラップ生地１３が折り返されるので、各節の端部がより一層保護される。
【００４２】
また、上記補助布１７が設けられることによりポケット２４（図２参照）が形成される。前述のように、第１番節及び第２番節が上記収容空間２７、２８に収容されると共にバットがメッシュ生地１２の上に配置され、バットの端部がポケット２４に挿入される。これにより、緩衝性が一層向上するという利点がある。
【００４３】
本実施形態では、上記フラップ生地１３は基布１１と一体的に形成されているので、釣竿袋１０の製造工程が簡素化され、製造コストが抑えられる。
【００４４】
また、上記メッシュ生地１２の中央部が長手方向に沿って基布１１と縫い合わされることにより、２つの収容空間２７、２８が形成される。したがって、各節は分割された収容空間２７、２８に分けて収容されるから、釣竿袋１０の緩衝性は一層向上する。
【００４５】
さらに、面ファスナー１４〜１６は３箇所に配置されており、面ファスナー１４、１６は、基布１１の上端縁１８及び下端縁１９の近傍に配置されている。このため、基布１１の折り畳み状態が効果的に維持されるという利点がある。また、面ファスナー１４〜１６が３箇所に配置されていることから、仮に釣竿のバットにリールが装着されている場合であっても、当該釣竿袋１０は、釣竿とリールとを確実に包み込むことができる。つまり、釣場での移動（釣竿の持ち運び）する場合や予めリールをバットにセットした状態で釣場に赴く場合に、釣竿を確実に保護することができる。
【００４６】
特に、面ファスナー１４は、フラップ生地１３が折り返されたときにフラップ生地１３の閉じ状態を保持する面ファスナーを兼ねているので、釣竿袋１０の部品点数を削減し、製造コストが抑えられている。
【００４７】
加えて、フラップ生地１３の長さＣが１００ｍｍ〜１５０ｍｍに設定されているので、必要且つ十分な緩衝性が発揮される。
【符号の説明】
【００４８】
１０・・・釣竿袋
１１・・・基布
１２・・・メッシュ生地
１３・・・フラップ生地
１４・・・面ファスナー
１５・・・面ファスナー
１６・・・面ファスナー
１７・・・補助布
１８・・・上端縁
１９・・・下端縁
２０・・・側縁  
２１・・・側縁
２２・・・開口
２３・・・開口
２４・・・ポケット
【図１】
2014036619.tif 000003
【図２】
2014036619.tif 000004
【図３】
2014036619.tif 000005
【図４】
2014036619.tif 000006
【図５】
2014036619.tif 000007